(57)【要約】【課題】ネットワーク装置における開発期間の短縮及び開発コストの削減を実現することが可能な情報管理装置を提供する。【解決手段】情報管理装置１は、複数の機器３が二次元的に配置されているネットワーク装置２の機器３の位置及び寸法を示す機器座標データが記憶可能な記憶部３１と、記憶部３１に記憶される機器座標データを管理する管理部３２と、を備え、機器座標データは、複数の機器３に共通する共通座標系で記述されていることを特徴とする。【選択図】図１
2018142177.tif 000002
【特許請求の範囲】
【請求項１】
複数の機器が二次元的に配置されているネットワーク装置の情報を管理する情報管理装置であって、
前記機器の位置及び寸法を示す機器座標データが記憶可能な記憶部と、
前記記憶部に記憶される前記機器座標データを管理する管理部と、
を備え、
前記機器座標データは、複数の前記機器に共通する共通座標系で記述されている
ことを特徴とする情報管理装置。
【請求項２】
前記機器座標データは、前記機器の基準位置の座標を示す基準位置座標データと、前記機器の二次元方向の寸法を示す寸法データと、を含む
ことを特徴とする請求項１に記載の情報管理装置。
【請求項３】
前記記憶部には、前記機器のうち複数の前記機器が二次元的に配置される面に設けられている機能部品の位置を示す機能部品座標データが記憶可能であり、
前記管理部は、前記記憶部に記憶される前記機能部品座標データを管理する
ことを特徴とする請求項１又は請求項２に記載の情報管理装置。
【請求項４】
前記機能部品座標データは、前記機器ごとに固有の個別座標系で記述されている
ことを特徴とする請求項３に記載の情報管理装置。
【請求項５】
前記記憶部に記憶された前記機器座標データに基づいて、複数の前記機器の配置構造を表示するための画像データを生成し、生成された前記画像データを表示部へ出力する画像データ生成部を備える
ことを特徴とする請求項１から請求項４のいずれか一項に記載の情報管理装置。
【発明の詳細な説明】
【技術分野】
【０００１】
本発明は、ネットワーク装置の情報を管理する技術に関する。
【背景技術】
【０００２】
従来、データの伝送、転送、アクセス等を行うネットワーク装置に関するオペレーション画面の開発が行われている。かかる開発に関しては、装置管理のための共通モデル標準が提案されている（非特許文献１〜３参照）。
【先行技術文献】
【非特許文献】
【０００３】
【非特許文献１】堀口、島崎、笹倉、井波、山本、「１００Ｇパケットトランスポートシステム（１００Ｇ−ＰＴＳ）の実用化」、ＮＴＴ技術ジャーナル２０１４年１０月号、Ｐ５４−Ｐ５７
【非特許文献２】「ＩＴＵ−Ｔ  Ｇ．７７１０／Ｙ．１７０１」、International Telecommunication Union、２０１２年２月
【非特許文献３】「ＪＴ−Ｇ７７１０  装置共通管理機能の要求事項」、第２版、一般財団法人情報通信技術委員会  ２０１４年５月２２日制定
【発明の概要】
【発明が解決しようとする課題】
【０００４】
しかし、実際の開発においては、操作性向上のために実装レイアウトに即したオペレーションシステムが要求される。そのため、オペレーションシステムの開発は、個別の機器ごと、ベンダごとに行われているのが実情である。このような個別のオペレーションシステムの開発が、開発期間の長期化及び開発コストの増大を招いている。
【０００５】
本発明は、前記事情に鑑みて創案されたものであり、ネットワーク装置における開発期間の短縮及び開発コストの削減を実現することが可能な情報管理装置を提供することを課題とする。
【課題を解決するための手段】
【０００６】
前記課題を解決するために、本発明の情報管理装置は、複数の機器が二次元的に配置されているネットワーク装置の情報を管理する情報管理装置であって、前記機器の位置及び寸法を示す機器座標データが記憶可能な記憶部と、前記記憶部に記憶される前記機器座標データを管理する管理部と、を備え、前記機器座標データは、複数の前記機器に共通する共通座標系で記述されていることを特徴とする。
【０００７】
かかる構成によると、ネットワーク装置における複数の機器の物理情報である機器座標データが共通座標系で定義されて記述されているので、ネットワーク装置の種別、ベンダ、実装手法によらずに物理情報の共通化を実現し、開発期間の短縮及び開発コストの削減を実現することができる。また、ネットワーク装置の拡張性を向上することができる。
【０００８】
前記機器座標データは、前記機器の基準位置の座標を示す基準位置座標データと、前記機器の二次元方向の寸法を示す寸法データと、を含むことが望ましい。
【０００９】
かかる構成によると、機器座標データが基準位置座標データ及び寸法データを含むので、機器の物理情報を好適に記述することができる。
【００１０】
前記記憶部には、前記機器のうち複数の前記機器が二次元的に配置される面に設けられている機能部品の位置を示す機能部品座標データが記憶可能であり、前記管理部は、前記記憶部に記憶される前記機能部品座標データを管理することが望ましい。
【００１１】
かかる構成によると、機器に設けられる機能部品に関する機能部品座標データを管理するので、開発期間の短縮及び開発コストの削減をより好適に実現することができる。
【００１２】
前記機能部品座標データは、前記機器ごとに固有の個別座標系で記述されていることが望ましい。
【００１３】
かかる構成によると、機能部品座標データが機器ごとに固有の個別座標系で記述されているので、複数の機器が配置された後の共通座標系を考慮することなく、機器の設計開発が可能である。
【００１４】
前記記憶部に記憶された前記機器座標データに基づいて、複数の前記機器の配置構造を表示するための画像データを生成し、生成された前記画像データを表示部へ出力する画像データ生成部を備えることが望ましい。
【００１５】
かかる構成によると、機器座標データに基づいて複数の機器の配置構造を表示するための画像データを生成して表示部へ出力するので、オペレーション画面を容易かつ好適に作成することができる。
【発明の効果】
【００１６】
本発明によると、ネットワーク装置の開発期間の短縮及び開発コストの削減を実現することができる。
【図面の簡単な説明】
【００１７】
【図１】本発明の実施形態に係る情報管理装置によって情報が管理されるネットワーク装置の一例を模式的に示す正面図である。
【図２】本発明の実施形態に係る情報管理装置を模式的に示す機能ブロック図である。
【図３】（ａ）は機器情報データベースの一例を示す図、（ｂ）は機能部品情報データベースの一例を示す図である。
【図４】換算情報データベースの一例を示す図である。
【図５】本発明の実施形態に係る情報管理装置によって表示される表示画面の一例を模式的に示す図である。
【発明を実施するための形態】
【００１８】
＜ネットワーク装置＞
続いて、本発明の実施形態について、図面を参照して説明する。図１に示すように、ネットワーク装置２は、互いに通信可能に接続される複数の機器（パッケージ）３が、水平（ｘ軸）方向×高さ（ｙ軸）方向の二次元的に配置されることによって構成されている。複数の機器３は、それぞれ正面視で矩形状を呈する。機器３の一面、すなわち、複数の機器３が配置された二次元平面には、機能部品（モジュール）４が設けられている。機能部品４としては、ユーザによって操作可能なボタン、スイッチ等が挙げられる。
【００１９】
＜情報管理装置＞
図２に示すように、情報管理装置１は、ネットワーク装置２の情報を管理する装置であって、操作部１０と、表示部２０と、これらを制御する制御部３０と、を備える。
【００２０】
＜操作部及び表示部＞
操作部１０は、キーボード、マウス等によって構成されており、ユーザによる操作結果に基づく入力信号を制御部３０へ出力する。表示部２０は、モニタ等によって構成されており、制御部３０から出力された画像データに基づいて画像を表示する。
【００２１】
＜制御部＞
制御部３０は、ＣＰＵ（Central Processing Unit）、ＲＯＭ（Read-Only Memory）、ＲＡＭ（Random Access Memory）、入出力回路等によって構成されており、機能部として、記憶部３１と、管理部３２と、画像データ生成部３３と、を備える。
【００２２】
＜記憶部＞
記憶部３１は、機器情報データベース３１ａと、機能部品データベース３１ｂと、換算情報データベース３１ｃと、を備える。
【００２３】
＜機器情報データベース＞
図３（ａ）に示すように、機器情報データベース３１ａには、機器３ごとに、機器座標データが記憶されている。機器座標データは、機器３の位置及び寸法を共通座標系で記述するデータである。
また、機器情報データベース３１ａには、機器３ごとに、名称（機器名称）と、番号と、ＩＰアドレスと、登録日時と、実装状態（実装、未実装、誤実装、故障中、接続異常等）と、電源状態（電源有、電源無）と、信号状態（信号有、信号無）と、運用状態（運用、非運用）と、エラー状態（エラー有、エラー無）と、が関連付けて記憶されている。ここで、名称、番号及びＩＰアドレスは、ネットワーク装置２の機器３に固有の機器ＩＤである。エラー状態としては、エラー有の場合には、エラー発生日時、エラー重要度（ＣＲ（CRitical），ＭＪ（MaJor），ＭＮ（MiNor），ＮＡ（Not Alarmed），ＮＲ（Not Reported）等）も記憶されている。
【００２４】
≪共通座標系及び機器座標データ≫
共通座標系は、ネットワーク装置２の複数の機器３の全てに共通する座標系である。図１（ａ）に示すように、共通座標系は、水平方向をｘ軸、鉛直方向をｙ軸とし、ネットワーク装置２の一角（例えば、左下端部）を原点とする座標系である。ｘ軸及びｙ軸の座標値は、それぞれの方向における機器３の最小寸法を最小単位として設定されている。また、機器座標データは、機器３の基準位置（例えば、左下端部）の座標を示す基準位置座標データと、機器３のｘ軸及びｙ軸方向の寸法を示す寸法データと、を含む。例えば、図１（ａ）に示す機器３Ａの機器座標データは、基準位置座標データ（０，２）、寸法データ［１，４］である。
【００２５】
＜機能部品情報データベース＞
図３（ｂ）に示すように、機能部品情報データベース３１ｂには、機器３（機器ＩＤ（名称、番号又はＩＰアドレス））ごとに、機能部品ＩＤ（番号等）と、機能部品種別（ボタン、スイッチ等）と、機能部品座標データと、が関連付けて記憶されている。機能部品座標データは、機器３内における機能部品４の位置及び寸法を個別座標系で記述するデータである。
【００２６】
≪個別座標系及び個別座標データ≫
個別座標系は、ネットワーク装置２の複数の機器３のそれぞれに個別に与えられる座標系である。図１（ｂ）に示すように、個別座標系は、水平方向をｘＡ軸、鉛直方向をｙＡ軸とし、例えば機器３の一部（例えば、左下端部）を原点とする座標系である。ｘＡ軸及びｙＡ軸の座標値の単位は、それぞれの方向における機能部品４の最小寸法、配置数等に応じて設定されている。また、機能部品座標データは、機能部品４の基準位置（例えば、中央部）の座標を示す基準位置座標データと、機能部品４のｘＡ軸及びｙＡ軸方向の寸法を示す寸法データと、を含む。例えば、図１（ｂ）に示す機能部品４ａの機能部品座標データは、基準位置座標データ（０，５）、寸法データ［１，１］である。
【００２７】
＜換算情報データベース＞
図４に示すように、換算情報データベース３１ｃには、個別座標系の寸法データを共通座標系の寸法データに換算するための換算情報が記憶されている。本実施形態において、換算情報データベース３１ｃには、共通座標系の寸法機器３（機器ＩＤ）ごとに、共通座標系における寸法データと、個別座標系における寸法データと、が関連付けて記憶されている。
【００２８】
＜管理部＞
図２に示すように、管理部３２は、ユーザによる操作部１０の操作結果としての機器情報、機能部品情報及び換算情報、又は、複数の機器３から出力される機器情報、機能部品情報及び換算情報を取得し、取得された機器情報、機能部品情報及び換算情報に基づいて、機器情報データベース３１ａ及び機能部品情報データベース３１ｂを管理（データの追加、更新、修正、削除等）する。管理部３２が機器情報、機能部品情報及び換算情報を取得する手法としては、開発中又は開発済みの複数の機器３が、定期的に機器情報、機能部品情報及び換算情報（の少なくともいずれか）を情報管理装置１へ定期的に送信する構成であってもよい。また、開発中又は開発済みの複数の機器３が、機器情報、機能部品情報及び換算情報のいずれかに変更があった場合に、変更があった情報を情報管理装置１に送信する構成であってもよい。これらの手法は、例えば、開発済みの複数の機器３における機器情報としての電源状態、信号状態、運用状態、エラー状態等にとって好適である。また、情報管理装置１が、必要（機器３の情報管理装置１への接続時、ユーザによる操作部１０の操作時等）に応じて情報要求信号を開発中又は開発済みの複数の機器３へ送信し、複数の機器３が、情報要求信号を受信した場合に、機器情報、機能部品情報及び換算情報（の少なくともいずれか）を情報管理装置１へ定期的に送信する構成であってもよい。
【００２９】
＜画像データ生成部＞
画像データ生成部３３は、機器情報データベース３１ａ及び機能部品情報データベース３１ｂに記憶された機器座標データ及び機能部品座標データに基づいて、ネットワーク装置２のオペレーション画面用の画像データを生成し、生成された画像データを表示部２０へ出力する（図５参照）。画像データ生成部３３は、機能部品４の画像データを生成する際に、換算情報データベース３１ｃに記憶された換算情報を用いて機能部品４の基準位置座標データ及び寸法データを個別座標系から共通座標系に換算する。また、機能部品４の画像の形状（矩形、三角形、楕円等）、色等は、機能部品４の種別ごとに設定されてもよい。
【００３０】
本発明の実施形態に係る情報管理装置１は、ネットワーク装置２における複数の機器３の物理情報である機器座標データが共通座標系で定義されて記述されているので、ネットワーク装置２の種別、ベンダ、実装手法によらずに物理情報の共通化を実現し、開発期間の短縮及び開発コストの削減を実現することができる。また、ネットワーク装置２の拡張性を向上することができる。
【００３１】
また、情報管理装置１は、機器座標データが基準位置座標データ及び寸法データを含むので、機器３の物理情報を好適に記述することができる。
【００３２】
また、情報管理装置１は、機器３に設けられる機能部品４に関する機能部品座標データを管理するので、開発期間の短縮及び開発コストの削減をより好適に実現することができる。
【００３３】
また、情報管理装置１は、機能部品座標データが機器３ごとに固有の個別座標系で記述されているので、複数の機器３が配置された後の共通座標系を考慮することなく、機器３の設計開発が可能である。
【００３４】
また、情報管理装置１は、機器座標データ（及び機能部品座標データ）に基づいて複数の機器３の配置構造を表示するための画像データを生成して表示部２０へ出力するので、オペレーション画面を容易かつ好適に作成することができる。
【００３５】
以上、本発明の実施形態について説明したが、本発明は前記実施形態に限定されず、本発明の要旨を逸脱しない範囲で適宜変更可能である。例えば、機器座標データ及び機能部品座標データは、寸法データに替えて、基準位置（例えば、左下端部）とは対角となる位置（例えば、右上端部）の座標データ（対角位置座標データ）を含む構成であってもよい。この場合には、対角位置座標データと基準位置座標データとの差分によって、寸法が得られる。また、機能部品座標データは、共通座標系で記述されていてもよい。
【符号の説明】
【００３６】
１      情報管理装置
２      ネットワーク装置
３      機器
４      機能部品
３１    記憶部
３２    管理部
３３    画像データ生成部
【図１】
2018142177.tif 000003
【図２】
2018142177.tif 000004
【図３】
2018142177.tif 000005
【図４】
2018142177.tif 000006
【図５】
2018142177.tif 000007